(57)【要約】【課題】開閉可能な蓋体を備えるビデオカメラ等の電子機器において、蓋体開閉部の小型化を図るとともに、電子機器の使用感の悪化を防止し得るようにする。【解決手段】円弧部１１１ａを有する筐体１１１と、筐体１１１に設けられた凹部１１１ｂと、筐体１１１の外側から凹部１１１ｂを被覆するための蓋体１１２と、凹部１１１ｂを被覆する閉鎖位置と露出させる開放位置との間で蓋体１１２を移動させるための蓋体移動手段とを備え、蓋体移動手段は、円弧部１１１ａの外側を移動する蓋体１１２の移動軌跡が曲線となるように蓋体１１２を誘導する第１アーム１１３及び第２アーム１１４を備え、第１アーム１１３及び第２アーム１１４は、閉鎖位置から開放位置に向けて蓋体１１２を移動させたときに、蓋体１１２を一旦凹部１１１ｂから浮かび上がらせ、その後、蓋体１１２を筐体１１１の円弧部１１１ａに近づけるように設けられている。【選択図】図７
2012013810.tif 000002
【特許請求の範囲】
【請求項１】
外表面に円弧部を有する筐体と、
前記筐体の一部に設けられた被覆部と、
前記筐体の外側から前記被覆部を被覆するための蓋体と、
前記被覆部を被覆する閉鎖位置と前記被覆部を露出させる開放位置との間で前記蓋体を移動させるための蓋体移動手段と
を備え、
前記蓋体移動手段は、前記筐体の前記円弧部の外側を移動する前記蓋体の移動軌跡が曲線となるように前記蓋体を誘導する蓋体誘導部材を備え、
前記蓋体誘導部材は、前記閉鎖位置から前記開放位置に向けて前記蓋体を移動させたときに、前記閉鎖位置にあった前記蓋体を一旦前記被覆部から浮かび上がらせ、その後、前記開放位置に向かうにつれて前記蓋体を前記筐体の前記円弧部に近づけるように設けられている
蓋体開閉機構。
【請求項２】
請求項１に記載の蓋体開閉機構において、
前記蓋体は、前記開放位置に移動した状態で、前記筐体の前記円弧部の周辺を手のひらで持ったときに、その手の指先が掛かる指掛かり部を備える
蓋体開閉機構。
【請求項３】
請求項１に記載の蓋体開閉機構において、
前記蓋体移動手段は、
前記蓋体誘導部材を構成する第１アーム及び第２アームと、
前記筐体側に設けられ、前記第１アームと前記第２アームとを異なる位置で回転可能に支持する２つの筐体側回転支持部と、
前記蓋体側に設けられ、前記第１アームと前記第２アームとを異なる位置で回転可能に支持する２つの蓋体側回転支持部と
を備え、
各前記筐体側回転支持部及び各前記蓋体側回転支持部は、前記第１アーム及び前記第２アームを回転させて、前記閉鎖位置から前記開放位置に向けて前記蓋体を移動させたときに、前記蓋体の仮想の回転中心が前記筐体の外側から内側に向けて移動するように設けられている
蓋体開閉機構。
【請求項４】
請求項１に記載の蓋体開閉機構において、
前記蓋体は、前記閉鎖位置に移動した状態で、前記蓋体の外表面と前記筐体の外表面とが一致する形状に形成されているとともに、前記蓋体と前記筐体との間の隙間の発生を防止する隙間防止部を備える
蓋体開閉機構。
【請求項５】
電子部品を内部に配置し、外表面に円弧部を有する筐体と、
前記筐体の一部に設けられた被覆部と、
前記被覆部の内側に設けられ、前記電子部品と外部機器とを電気的に接続可能にするための接続部品と、
前記筐体の外側から前記被覆部を被覆して前記接続部品を保護するための蓋体と、
前記被覆部を被覆する閉鎖位置と前記被覆部を露出させる開放位置との間で前記蓋体を移動させるための蓋体移動手段と
を備え、
前記蓋体移動手段は、前記筐体の前記円弧部の外側を移動する前記蓋体の移動軌跡が曲線となるように前記蓋体を誘導する蓋体誘導部材を備え、
前記蓋体誘導部材は、前記閉鎖位置から前記開放位置に向けて前記蓋体を移動させたときに、前記閉鎖位置にあった前記蓋体を一旦前記被覆部から浮かび上がらせ、その後、前記開放位置に向かうにつれて前記蓋体を前記筐体の前記円弧部に近づけるように設けられている
電子機器。
【請求項６】
請求項５に記載の電子機器において、
前記蓋体誘導部材は、前記閉鎖位置から前記開放位置に向けて前記蓋体を移動させたときに、前記接続部品に接触しない高さまで前記蓋体を浮かび上がらせるように設けられている
電子機器。
【発明の詳細な説明】
【技術分野】
【０００１】
本発明は、筐体の被覆部を被覆するための蓋体と、被覆部を被覆する閉鎖位置と被覆部を露出させる開放位置との間で蓋体を移動させるための蓋体移動手段とを備える蓋体開閉機構及び電子機器に関する。
【背景技術】
【０００２】
従来から、筐体の一部に設けられた被覆部を蓋体で被覆できるようにした電子機器が知られている。例えば、ビデオカメラは、電子部品を実装した機器本体に対し、ビデオライト等のアクセサリを接続するため、ビデオカメラの筐体の上部にアクセサリシューを備えている。そして、未使用時のアクセサリシューは、蓋体によって被覆され、保護されるようになっている。そのため、アクセサリシューを含む被覆部を被覆する閉鎖位置と被覆部を露出させる開放位置との間で蓋体を移動させるための蓋体移動手段を備えたビデオカメラが開示されている。
【先行技術文献】
【特許文献】
【０００３】
【特許文献１】特開２０１０−２５１４号公報
【発明の概要】
【発明が解決しようとする課題】
【０００４】
上記の特許文献１の技術は、筐体の内側で、アクセサリシューが設けられた開口部（被覆部）を開閉可能な蓋体と、開口部を閉じる閉鎖位置と開口部を開く開放位置との間で蓋体を移動させる蓋体移動手段とを備えている。そして、開口部を開放させてアクセサリシューを露出させるときには、蓋体が筐体内に滑り込むように収納される。そのため、開口部の開放時（アクセサリシューの使用時）に、蓋体が邪魔になってビデオカメラの操作性を害するおそれがない。
【０００５】
しかし、蓋体を筐体の内部に収納するため、筐体の内部に蓋体の収納スペースが必要となってしまう。その結果、筐体が大きくなり、ビデオカメラの小型化の要請に反することとなる。また、ビデオカメラにビデオライト等のアクセサリを取り付けて撮影すると、ビデオカメラのグリップ部とアクセサリとが干渉するため、撮影がしにくくなって使用感が悪くなるという問題があった。
【０００６】
したがって、本発明が解決しようとする課題は、開閉可能な蓋体を備えるビデオカメラ等の電子機器において、蓋体開閉部の小型化を図るとともに、電子機器の使用感の悪化を防止し得るようにすることである。
【課題を解決するための手段】
【０００７】
本発明は、以下の解決手段により、上述の課題を解決する。
請求項１に記載の発明は、外表面に円弧部を有する筐体と、前記筐体の一部に設けられた被覆部と、前記筐体の外側から前記被覆部を被覆するための蓋体と、前記被覆部を被覆する閉鎖位置と前記被覆部を露出させる開放位置との間で前記蓋体を移動させるための蓋体移動手段とを備え、前記蓋体移動手段は、前記筐体の前記円弧部の外側を移動する前記蓋体の移動軌跡が曲線となるように前記蓋体を誘導する蓋体誘導部材を備え、前記蓋体誘導部材は、前記閉鎖位置から前記開放位置に向けて前記蓋体を移動させたときに、前記閉鎖位置にあった前記蓋体を一旦前記被覆部から浮かび上がらせ、その後、前記開放位置に向かうにつれて前記蓋体を前記筐体の前記円弧部に近づけるように設けられている蓋体開閉機構である。
【０００８】
また、請求項５に記載の発明は、電子部品を内部に配置し、外表面に円弧部を有する筐体と、前記筐体の一部に設けられた被覆部と、前記被覆部の内側に設けられ、前記電子部品と外部機器とを電気的に接続可能にするための接続部品と、前記筐体の外側から前記被覆部を被覆して前記接続部品を保護するための蓋体と、前記被覆部を被覆する閉鎖位置と前記被覆部を露出させる開放位置との間で前記蓋体を移動させるための蓋体移動手段とを備え、前記蓋体移動手段は、前記筐体の前記円弧部の外側を移動する前記蓋体の移動軌跡が曲線となるように前記蓋体を誘導する蓋体誘導部材を備え、前記蓋体誘導部材は、前記閉鎖位置から前記開放位置に向けて前記蓋体を移動させたときに、前記閉鎖位置にあった前記蓋体を一旦前記被覆部から浮かび上がらせ、その後、前記開放位置に向かうにつれて前記蓋体を前記筐体の前記円弧部に近づけるように設けられている電子機器である。
【０００９】
（作用）
上記の請求項１及び請求項５に記載の発明は、筐体の外側から被覆部を被覆するための蓋体と、被覆部を被覆する閉鎖位置と被覆部を露出させる開放位置との間で蓋体を移動させるための蓋体移動手段とを備えている。また、蓋体移動手段は、筐体の円弧部の外側を移動する蓋体の移動軌跡が曲線となるように蓋体を誘導する蓋体誘導部材を備えている。そして、蓋体誘導部材は、閉鎖位置から開放位置に向けて蓋体を移動させたときに、閉鎖位置にあった蓋体を一旦前記被覆部から浮かび上がらせ、その後、開放位置に向かうにつれて蓋体を筐体の円弧部に近づけるように設けられている。そのため、蓋体は、筐体の内部に収容されることなく、筐体の外側で開閉する。しかも、閉鎖位置にあった蓋体は、一旦被覆部から浮かび上がって移動するため、蓋体の被覆部に設けた接続部品と蓋体との間隔を狭くしても、両者が干渉することはない。
【発明の効果】
【００１０】
本発明によれば、蓋体が筐体の外側で開閉する。また、蓋体の被覆部に設けた接続部品と蓋体との間隔を狭めることができる。そのため、蓋体開閉機構を備えるビデオカメラ等の電子機器を小型化できる。さらにまた、被覆部の開放位置でも蓋体が筐体の外側に位置するので、開放位置にある蓋体を利用して、電子機器の使用感の向上に役立てることも可能となる。
【図面の簡単な説明】
【００１１】
【図１】本発明の電子機器の一実施形態としての、ビデオカメラの後面側を示す斜視図であり、蓋体が被覆部の閉鎖位置にある状態を示している。
【図２】本発明の電子機器の一実施形態としての、ビデオカメラの後面側を示す斜視図であり、蓋体が開閉の途中位置にある状態を示している。
【図３】本発明の電子機器の一実施形態としての、ビデオカメラの後面側を示す斜視図であり、蓋体が被覆部の開放位置にある状態を示している。
【図４】本発明の蓋体開閉機構の一実施形態（第１の実施の形態）としての、ビデオカメラ用の蓋体開閉機構を示す斜視図である。
【図５】図４に示す第１の実施の形態の蓋体開閉機構において、蓋体開閉機構の内部構造が見えるように、一部を省略して示す斜視図である。
【図６】本発明の蓋体開閉機構の一実施形態（第１の実施の形態）としての、ビデオカメラ用の蓋体開閉機構を示す横断面図であり、蓋体が被覆部の閉鎖位置にある状態を示している。
【図７】本発明の蓋体開閉機構の一実施形態（第１の実施の形態）としての、ビデオカメラ用の蓋体開閉機構を示す横断面図であり、蓋体が開閉の途中位置にある状態を示している。
【図８】本発明の蓋体開閉機構の一実施形態（第１の実施の形態）としての、ビデオカメラ用の蓋体開閉機構を示す横断面図であり、蓋体が被覆部の開放位置にある状態を示している。
【図９】本発明の蓋体開閉機構の一実施形態（第２の実施の形態）としての、ビデオカメラ用の蓋体開閉機構を示す横断面図であり、蓋体が被覆部の閉鎖位置にある状態を示している。
【図１０】本発明の蓋体開閉機構の一実施形態（第２の実施の形態）としての、ビデオカメラ用の蓋体開閉機構を示す横断面図であり、蓋体が開閉の途中位置にある状態を示している。
【図１１】本発明の蓋体開閉機構の一実施形態（第２の実施の形態）としての、ビデオカメラ用の蓋体開閉機構を示す横断面図であり、蓋体が被覆部の開放位置にある状態を示している。
【発明を実施するための形態】
【００１２】
以下、図面を参照して、本発明を実施するための形態について説明する。
ここで、本発明における電子機器は、以下の実施の形態では、ビデオカメラ１０であるとする。また、本発明における蓋体開閉機構は、以下の実施の形態では、ビデオカメラ１０用の蓋体開閉機構１１０，１２０であるとする。
なお、説明は、以下の順序で行う
１．第１の実施の形態（蓋体開閉機構：閉鎖位置で指掛かり部が露出する構成例）
２．第２の実施の形態（蓋体開閉機構：閉鎖位置で指掛かり部が収納される構成例）
【００１３】
［電子機器の構成例］
図１は、本発明の電子機器の一実施形態としての、ビデオカメラ１０の後面側を示す斜視図であり、蓋体１１２が凹部１１１ｂ（被覆部）の閉鎖位置にある状態を示している。
図２は、本発明の電子機器の一実施形態としての、ビデオカメラ１０の後面側を示す斜視図であり、蓋体１１２が開閉の途中位置にある状態を示している。
図３は、本発明の電子機器の一実施形態としての、ビデオカメラ１０の後面側を示す斜視図であり、蓋体１１２が凹部１１１ｂ（被覆部）の開放位置にある状態を示している。
【００１４】
図１から図３に示すように、ビデオカメラ１０は、電子部品を内部に配置した筐体１１１を備えている。具体的には、筐体１１１は、外表面に円弧部１１１ａを有する略筒型の中空容器であり、筐体１１１の前部には、複数のレンズを備える円筒状のレンズ鏡筒１１が取り付けられている。そして、筐体１１１の内部であって、レンズ鏡筒１１の各レンズの光軸上には、撮影を行うための電子部品として、ＣＣＤ（Charge Coupled Device Image Sensor）イメージセンサやＣＭＯＳ（Complementary Metal Oxide Semiconductor ）イメージセンサ等の撮像素子が配置されている。そのため、レンズ鏡筒１１を介して入力される被写体の光学的な画像は、撮像素子で電気信号に変換され、メモリカード等に記憶される。
【００１５】
また、筐体１１１の一方の側面には、表示装置１２が筐体１１１に対して開閉可能に取り付けられている。この表示装置１２は、液晶ディスプレイや有機ＥＬディスプレイ等から構成されており、開いた状態で、撮影中の画像やメモリカードに記憶された画像等を表示できる。
なお、表示装置１２は、表示されている機能やその他の操作を実行できるように、タッチパネル機能を有している。
【００１６】
さらにまた、筐体１１１の他方の側面（表示装置１２と反対側の外表面）は、円弧部１１１ａとなっている。そして、円弧部１１１ａの周辺を手のひらで持つことにより、ビデオカメラ１０を片手で把持できる。
なお、筐体１１１には、円弧部１１１ａを持つ手を補助してビデオカメラ１０の落下等を防止するために、ハンドベルト（図示せず）を取り付けることができる。
【００１７】
さらに、筐体１１１の上部には、レンズ鏡筒１１内のレンズを移動させてズーム動作を可能とするためのズームレバー１３と、静止画を撮影するための静止画撮影ボタン１４とが配置されている。一方、動画を撮影するための動画撮影ボタン１５は、筐体１１１の後部に配置されており、筐体１１１の後部には、ビデオカメラ１０の駆動電源となるバッテリを装着するためのバッテリ装着部１６も設けられている。
【００１８】
したがって、ビデオカメラ１０は、バッテリ装着部１６に装着されたバッテリから撮像素子等に電源が供給され、レンズ鏡筒１１を介して入力された被写体の光学的な画像が表示装置１２に表示される。そして、ズームレバー１３を操作して被写体を所望の大きさとし、動画撮影ボタン１５や静止画撮影ボタン１４を操作して撮影を行う。
【００１９】
また、ビデオカメラ１０には、撮影を補助等するための外部機器として、必要に応じてビデオライトや外付けマイクロホン等のアクセサリ（図示せず）を取り付けることができる。これらのアクセサリは、図２及び図３に示すアクセサリシュー１７（本発明における接続部品に相当）に接続する。これにより、アクセサリは、筐体１１１内の電子部品と電気的に接続できるようになる。
なお、アクセサリシュー１７は、電気的に接続されることのない単なる接続部品となることもある。電気的な接続の有無は、接続するアクセサリをビデオカメラ１０側から制御するか否かによって異なる。
【００２０】
このようなアクセサリシュー１７は、接続するアクセサリの特性を考慮して、図２及び図３に示すように、ビデオカメラ１０の上部に設けられている。具体的には、筐体１１１の上面の一部に凹部１１１ｂ（本発明における被覆部に相当）が形成されており、この凹部１１１ｂの内側に、アクセサリシュー１７が設けられている。そして、アクセサリを接続しないときのアクセサリシュー１７を保護するため、凹部１１１ｂは、図１に示すように、蓋体１１２によって筐体１１１の外側から被覆される。
【００２１】
ここで、蓋体１１２は、必要に応じて凹部１１１ｂを開閉できるようになっており、蓋体移動手段により、凹部１１１ｂを被覆する閉鎖位置（図１に示す位置）と、凹部１１１ｂを露出させる開放位置（図３に示す位置）との間を移動する。そして、図１に示すように、蓋体１１２が閉鎖位置に移動した状態では、蓋体１１２の外表面と筐体１１１の外表面とが一致するようになっている。そのため、蓋体１１２が筐体１１１と一体的なデザインとなり、蓋体１１２によってアクセサリシュー１７（図２及び図３参照）が保護されるだけでなく、美観にも優れたビデオカメラ１０となる。
【００２２】
一方、図２に示すように、蓋体１１２を筐体１１１の上方に持ち上げれば、凹部１１１ｂが露出する。そして、図３に示すように、蓋体１１２を開放位置に移動させることができる。そのため、アクセサリシュー１７に各種のアクセサリを接続できるようになる。また、開放位置に移動した状態の蓋体１１２の上部は、筐体１１１の円弧部１１１ａの周辺を手のひらで持ったときに、その手の指先が掛かる指掛かり部１１２ａとなるように形成されている。
【００２３】
このように、筐体１１１の凹部１１１ｂは、蓋体１１２によって開閉する。また、蓋体１１２は、蓋体移動手段によって凹部１１１ｂの閉鎖位置と開放位置との間を移動する。言いかえれば、筐体１１１、凹部１１１ｂ、蓋体１１２、及び蓋体移動手段により、第１の実施の形態の蓋体開閉機構１１０が構成される。
そこで次に、第１の実施の形態の蓋体開閉機構１１０について説明する。
【００２４】
＜１．第１の実施の形態＞
［蓋体開閉機構の構成例］
図４は、本発明の蓋体開閉機構の一実施形態（第１の実施の形態）としての、ビデオカメラ１０用の蓋体開閉機構１１０を示す斜視図である。
図５は、図４に示す第１の実施の形態の蓋体開閉機構１１０において、蓋体開閉機構１１０の内部構造が見えるように、一部を省略して示す斜視図である。
【００２５】
図４及び図５に示すように、第１の実施の形態の蓋体開閉機構１１０は、蓋体１１２を移動させるための蓋体移動手段として、蓋体１１２を誘導する蓋体誘導部材（第１アーム１１３及び第２アーム１１４）を備えている。この第１アーム１１３及び第２アーム１１４は、蓋体１１２の両側にそれぞれ設けられている。そのため、蓋体１１２を支持する強度及び剛性の高い蓋体誘導部材となっている。
【００２６】
また、第１アーム１１３は、その一端が筐体１１１側に設けられた筐体第１回転支持部１１５（本発明における筐体側回転支持部に相当）によって回転可能に支持され、他端が蓋体１１２側に設けられた蓋体第１回転支持部１１６（本発明における蓋体側回転支持部に相当）によって回転可能に支持されている。さらにまた、第２アーム１１４は、その一端が筐体１１１側に設けられた筐体第２回転支持部１１７（本発明における筐体側回転支持部に相当）によって回転可能に支持され、他端が蓋体１１２側に設けられた蓋体第２回転支持部１１８（本発明における蓋体側回転支持部に相当）によって回転可能に支持されている。
【００２７】
ここで、筐体第１回転支持部１１５及び筐体第２回転支持部１１７は、筐体１１１側において、第１アーム１１３と第２アーム１１４とを異なる位置で支持する。また、蓋体第１回転支持部１１６及び蓋体第２回転支持部１１８は、蓋体１１２側において、第１アーム１１３と第２アーム１１４とを異なる位置で支持する。そして、第１アーム１１３及び第２アーム１１４の形状と、筐体第１回転支持部１１５、蓋体第１回転支持部１１６、筐体第２回転支持部１１７、及び蓋体第２回転支持部１１８の位置関係とにより、蓋体１１２が移動して凹部１１１ｂ（図５参照）を開閉する。
【００２８】
このように、第１アーム１１３及び第２アーム１１４等によって４節リンク機構が構成され、蓋体１１２が誘導される。そして、第１アーム１１３と筐体１１１との間には、開閉バネ１１９が取り付けられている。この開閉バネ１１９は、蓋体１１２が凹部１１１ｂ（図５参照）を被覆する閉鎖位置にあるときは、閉鎖位置を維持する方向に蓋体１１２を付勢するように作用する。そのため、凹部１１１ｂの内側に設けられたアクセサリシュー１７が保護される。
【００２９】
また、アクセサリシュー１７を使用するため、凹部１１１ｂ（図５参照）を露出させる開放位置に向けて蓋体１１２を移動させたときは、第１アーム１１３及び第２アーム１１４により、蓋体１１２が一旦凹部１１１ｂから浮かび上がる。具体的には、蓋体１１２に形成された指掛かり部１１２ａに指先を掛けて蓋体１１２を持ち上げれば、蓋体１１２が浮かび上がる。そして、浮かび上がりの頂点を越えると、開閉バネ１１９は、開放方向（図５に示す矢印方向）に蓋体１１２を付勢するように作用する。
【００３０】
したがって、第１の実施の形態の蓋体開閉機構１１０は、４節リンク機構を構成する第１アーム１１３及び第２アーム１１４と、開閉バネ１１９とにより、蓋体１１２の開閉時のガタが抑えられ、クリック感のある品位の高い開閉動作を実現できる。
次に、第１の実施の形態の蓋体開閉機構１１０における開閉動作について説明する。
【００３１】
図６は、本発明の蓋体開閉機構の一実施形態（第１の実施の形態）としての、ビデオカメラ１０用の蓋体開閉機構１１０を示す横断面図であり、蓋体１１２が凹部１１１ｂ（被覆部）の閉鎖位置にある状態を示している。
図７は、本発明の蓋体開閉機構の一実施形態（第１の実施の形態）としての、ビデオカメラ１０用の蓋体開閉機構１１０を示す横断面図であり、蓋体１１２が開閉の途中位置にある状態を示している。
図８は、本発明の蓋体開閉機構の一実施形態（第１の実施の形態）としての、ビデオカメラ１０用の蓋体開閉機構１１０を示す横断面図であり、蓋体１１２が凹部１１１ｂ（被覆部）の開放位置にある状態を示している。
【００３２】
図６に示すように、蓋体１１２が閉鎖位置にあるときは、蓋体１１２の外表面と筐体１１１の外表面とが一致しており、円弧部１１１ａの周辺を手のひらで持つと、指の腹で蓋体１１２が上から押さえつけられる。さらに、蓋体１１２は、開閉バネ１１９により、閉鎖位置を維持する方向に付勢されている。そのため、アクセサリを使用しないにもかかわらず、不用意に蓋体１１２が開いてしまうことはない。したがって、閉鎖位置にある蓋体１１２は、アクセサリの未接続時のアクセサリシュー１７を確実に保護する蓋として機能する。
【００３３】
次に、アクセサリを接続するには、閉鎖位置にある蓋体１１２を開き、凹部１１１ｂ内のアクセサリシュー１７を出現させる。具体的には、筐体１１１から露出した指掛かり部１１２ａに指先を掛け、開閉バネ１１９の付勢に反して蓋体１１２を右上に向けて（矢印の方向に）持ち上げるようにする。
【００３４】
ここで、蓋体１１２は、蓋体第１回転支持部１１６によって第１アーム１１３に回転可能に支持され、蓋体第２回転支持部１１８によって第２アーム１１４に回転可能に支持されている。そのため、蓋体１１２を右上（矢印方向）に持ち上げると、第１アーム１１３は、筐体第１回転支持部１１５を中心として右回りに回転し、第２アーム１１４は、筐体第２回転支持部１１７を中心として右回りに回転する。その結果、蓋体１１２も右回りに回転するようになる。
【００３５】
この際、筐体第１回転支持部１１５、蓋体第１回転支持部１１６、筐体第２回転支持部１１７、及び蓋体第２回転支持部１１８の４つの回転支持部により、蓋体１１２の仮想回転中心１１０ａが筐体１１１の円弧部１１１ａの外側に位置するようになっている。そのため、図７に示すように、蓋体１１２が開閉の途中位置にある状態では、第１アーム１１３及び第２アーム１１４によって蓋体１１２が一旦凹部１１１ｂから浮かび上がる。そして、蓋体１１２は、アクセサリシュー１７に接触しない高さまで到達する。
【００３６】
また、蓋体１１２の移動により、開閉バネ１１９が引っ張られる。さらにまた、蓋体１１２の仮想回転中心１１０ａが筐体１１１の円弧部１１１ａの外側から内側に向けて移動する。そして、蓋体１１２が図７に示す位置を越えるようになると、開閉バネ１１９の付勢力により、蓋体１１２は、図８に示す凹部１１１ｂの開放位置まで自動的に移動する。
【００３７】
蓋体１１２の開放位置では、仮想回転中心１１０ａが図８に示すような位置となる。そのため、閉鎖位置から開放位置に向かう蓋体１１２の移動軌跡は、筐体１１１の円弧部１１１ａの外側を通る曲線となる。そして、蓋体１１２は、開放位置に向かうにつれて円弧部１１１ａに近づき、開放位置になると、指掛かり部１１２ａ側が第１アーム１１３によって支持され、反対側が円弧部１１１ａに当接して支持されるようになる。その結果、蓋体１１２は、指掛かり部１１２ａを備えるグリップとして使用できるようになる。
【００３８】
したがって、アクセサリシュー１７にビデオライト等のアクセサリを接続しても、蓋体１１２をグリップとして使用し、筐体１１１の円弧部１１１ａの周辺を手のひらで持ってその手の指先を指掛かり部１１２ａに掛けて撮影することができる。そのため、第１の実施の形態の蓋体開閉機構１１０によれば、近年の小型化でグリップを設けるスペースがない場合であっても、アクセサリによって撮影がしにくくなることはない。
【００３９】
また、アクセサリを使用しないときは、図８に示す開放位置の蓋体１１２を持ち上げれば、図７に示す開閉の途中位置を経由して、図６に示す閉鎖位置に復帰する。そして、アクセサリシュー１７を保護する。そのため、第１の実施の形態の蓋体開閉機構１１０は、アクセサリシュー１７の保護と筐体１１１のグリップ性とを高度に両立させることができる。
【００４０】
さらにまた、蓋体１１２は、筐体１１１の外側から凹部１１１ｂ及びアクセサリシュー１７を被覆する。そのため、図６に示す閉鎖位置において、アクセサリシュー１７と蓋体１１２との間隔を狭めることができる。その結果、蓋体開閉機構１１０を備えるビデオカメラ１０（図１参照）を小型化できる。
なお、図７に示す開閉の途中位置においては、蓋体１１２が一旦凹部１１１ｂから浮かび上がるため、蓋体１１２とアクセサリシュー１７とが干渉することはない。
【００４１】
＜２．第２の実施の形態＞
［蓋体開閉機構の構成例］
図９は、本発明の蓋体開閉機構の一実施形態（第２の実施の形態）としての、ビデオカメラ１０用の蓋体開閉機構１２０を示す横断面図であり、蓋体１２１が凹部１２１ｂ（被覆部）の閉鎖位置にある状態を示している。
図１０は、本発明の蓋体開閉機構の一実施形態（第２の実施の形態）としての、ビデオカメラ１０用の蓋体開閉機構１２０を示す横断面図であり、蓋体１２１が開閉の途中位置にある状態を示している。
図１１は、本発明の蓋体開閉機構の一実施形態（第２の実施の形態）としての、ビデオカメラ１０用の蓋体開閉機構１２０を示す横断面図であり、蓋体１２１が凹部１２１ｂ（被覆部）の開放位置にある状態を示している。
【００４２】
図９から図１１に示す第２の実施の形態の蓋体開閉機構１２０は、図６から図８に示す第１の実施の形態の蓋体開閉機構１１０に対し、筐体１２１の内部に蓋体１２２の指掛かり部１２２ａを収納できるようにしている。具体的には、図９に示すように、蓋体１２２が閉鎖位置にあるときは、筐体１２１とともに円筒形を構成し、指掛かり部１２２ａは、筐体１２１によって隠される。そのため、デザイン性に優れた蓋体開閉機構１２０を実現できる。
【００４３】
また、第２の実施の形態の蓋体開閉機構１２０は、蓋体１２２が閉鎖位置に移動した状態で、蓋体１２２の外表面と筐体１２１の外表面とが一致するだけでなく、蓋体１２２と筐体１２１との間の隙間の発生が防止されるようになっている。具体的には、図９に示すように、蓋体１２２の先端隙間防止部１２２ｂと筐体１２１の傾斜した端面とが当接し、蓋体１２２の後端隙間防止部１２２ｃと筐体１２１の階段状の端面とが当接する。そのため、先端隙間防止部１２２ｂ及び後端隙間防止部１２２ｃと筐体１２１の端面との間に隙間が生じない。その結果、凹部１２１ｂ（本発明における被覆部に相当）へのゴミやホコリの侵入等を防止できることとなる。
【００４４】
さらにまた、第２の実施の形態の蓋体開閉機構１２０は、蓋体１２２を移動させるための蓋体移動手段として、蓋体１２２を誘導する蓋体誘導部材（第１アーム１２３及び第２アーム１２４）を備えている。そして、蓋体１２２を開くように移動させるには、開閉バネ１２９の付勢に反して蓋体１２２を右上に向けて持ち上げる。これにより、第１アーム１２３が筐体第１回転支持部１２５（本発明における筐体側回転支持部に相当）を中心として右回りに回転する。また、第２アーム１２４が筐体第２回転支持部１２７（本発明における筐体側回転支持部に相当）を中心として右回りに回転する。その結果、蓋体第１回転支持部１２６（本発明における蓋体側回転支持部に相当）によって第１アーム１２３に回転可能に支持され、蓋体第２回転支持部１２８（本発明における蓋体側回転支持部に相当）によって第２アーム１２４に回転可能に支持された蓋体１２２も右回りに回転するようになる。
【００４５】
この際、筐体第１回転支持部１２５、蓋体第１回転支持部１２６、筐体第２回転支持部１２７、及び蓋体第２回転支持部１２８の４つの回転支持部により、蓋体１２２の仮想回転中心１２０ａが筐体１２１の円弧部１２１ａの外側に位置するようになっている。そのため、図１０に示すように、蓋体１２２が開閉の途中位置にある状態では、第１アーム１２３及び第２アーム１２４によって蓋体１２２が一旦凹部１２１ｂから浮かび上がるように移動する。
なお、先端隙間防止部１２２ｂ及び後端隙間防止部１２２ｃは、蓋体１２２の移動に支障のない形状に形成されている。
【００４６】
また、蓋体１２２の移動により、開閉バネ１２９が引っ張られる。さらにまた、蓋体１２２の仮想回転中心１２０ａが筐体１２１の円弧部１２１ａの外側から内側に向けて移動する。そして、蓋体１２２が図１０に示す位置を越えるようになると、開閉バネ１２９の付勢力により、蓋体１２２は、図１１に示す凹部１２１ｂの開放位置まで自動的に移動する。
【００４７】
蓋体１２２の開放位置では、仮想回転中心１２０ａが図１１に示すような位置となる。そのため、閉鎖位置から開放位置に向かう蓋体１２２の移動軌跡は、筐体１２１の円弧部１２１ａの外側を通る曲線となる。そして、蓋体１２２は、開放位置に向かうにつれて円弧部１２１ａに近づき、開放位置では、指掛かり部１２２ａを備えるグリップとして機能する。
【００４８】
したがって、アクセサリを接続しても、蓋体１２２をグリップとして使用することにより、指掛かり部１２２ａに指先を掛けて楽に撮影できる。また、アクセサリを使用しないときは、蓋体１２２を図９に示す閉鎖位置に復帰させることにより、筐体１２１の凹部１２１ｂをコンパクトに被覆できる。
【００４９】
以上、本発明の実施形態について説明したが、本発明は、上述した実施形態に限定されることなく、以下のような種々の変形が可能である。例えば、
（１）実施形態では、電子機器として、ビデオカメラ１０を例に挙げて説明したが、これに限らず、デジタルカメラ、携帯電話、ノート型パソコン、携帯型のゲーム機等の各種の電子機器にも適用できる。
【００５０】
（２）実施形態では、蓋体移動手段として、第１アーム１２３及び第２アーム１２４からなる蓋体誘導部材を備えている。そして、第１アーム１２３及び第２アーム１２４によって４節リンク機構を構成し、蓋体１１２の両側を支持するようにしている。しかし、蓋体の片側や中央部だけを支持するようにしてもよい。また、蓋体誘導部材は、第１アームや第２アームに限られず、蓋体移動手段は、４節リンク機構に限られない。例えば、レールによって誘導されるスライド機構等であってもよい。
【符号の説明】
【００５１】
１０  ビデオカメラ（電子機器）
１７  アクセサリシュー（接続部品）
１１０  蓋体開閉機構
１１０ａ  仮想回転中心
１１１  筐体
１１１ａ  円弧部
１１１ｂ  凹部（被覆部）
１１２  蓋体
１１２ａ  指掛かり部
１１３  第１アーム（蓋体誘導部材）
１１４  第２アーム（蓋体誘導部材）
１１５  筐体第１回転支持部（筐体側回転支持部）
１１６  蓋体第１回転支持部（蓋体側回転支持部）
１１７  筐体第２回転支持部（筐体側回転支持部）
１１８  蓋体第１回転支持部（蓋体側回転支持部）
１２０  蓋体開閉機構
１２０ａ  仮想回転中心
１２１  筐体
１２１ａ  円弧部
１２１ｂ  凹部（被覆部）
１２２  蓋体
１２２ａ  指掛かり部
１２２ｂ  先端隙間防止部
１２２ｃ  後端隙間防止部
１２３  第１アーム（蓋体誘導部材）
１２４  第２アーム（蓋体誘導部材）
１２５  筐体第１回転支持部（筐体側回転支持部）
１２６  蓋体第１回転支持部（蓋体側回転支持部）
１２７  筐体第２回転支持部（筐体側回転支持部）
１２８  蓋体第１回転支持部（蓋体側回転支持部）
【図１】
2012013810.tif 000003
【図２】
2012013810.tif 000004
【図３】
2012013810.tif 000005
【図４】
2012013810.tif 000006
【図５】
2012013810.tif 000007
【図６】
2012013810.tif 000008
【図７】
2012013810.tif 000009
【図８】
2012013810.tif 000010
【図９】
2012013810.tif 000011
【図１０】
2012013810.tif 000012
【図１１】
2012013810.tif 000013